【手続補正書】
【提出日】平成26年2月20日(2014.2.20)
【手続補正１】
【補正対象書類名】特許請求の範囲
【補正対象項目名】全文
【補正方法】変更
【補正の内容】
【特許請求の範囲】
【請求項１】
電動式ローラーシェードであって、
シェード管を有し、前記シェード管は、
シェードが取り付けられた外面と、
内部キャビティを構成する内面とを含み、
前記シェード管内部キャビティ内に設けられると共に前記シェード管内面に機械的に結合されたモータ／コントローラユニットを有し、前記モータ／コントローラユニットは、    取り付けブラケットに取り付け可能な支持シャフトを含み、
前記支持シャフトに回転可能に結合された少なくとも１つの軸受を含み、
出力シャフトを有するＤＣ歯車モータを含み、前記出力シャフトは、前記支持シャフトが前記取り付けブラケットに取り付けられると、前記出力シャフト及び前記支持シャフトが回転することがないよう前記支持シャフトに結合されており、
前記ＤＣ歯車モータに結合されていて、前記ＤＣ歯車モータを制御するコントローラを含み、前記モータ／コントローラユニットに電気的に結合されると共に前記シェード管内部キャビティ内に設けられた状態で前記シェード管内面に機械的に結合されている電源ユニットを有し、前記電源ユニットは、取り付けブラケットに取り付け可能な支持シャフトを含み、
前記ＤＣ歯車モータは、このＤＣ歯車モータが動作しているとき、前記シェード管と共に回転する、電動式ローラーシェード。
【請求項２】
前記モータ／コントローラユニットは、前記コントローラに結合されていて、ワイヤレス信号を受け取るワイヤレス受信機を含む、請求項１記載の電動式ローラーシェード。
【請求項３】
前記モータ／コントローラユニットは、前記コントローラに結合されていて、ワイヤレス信号を送るワイヤレス送信機を含む、請求項２記載の電動式ローラーシェード。
【請求項４】
前記シェード管は、前記ワイヤレス受信機用のアンテナの近くに設けられた少なくとも１つのスロットを有する、請求項２記載の電動式ローラーシェード。
【請求項５】
前記モータ／コントローラユニットは、
前記シェード管の前記内面に機械的に結合されていて、前記軸受を収納した端キャップと、
前記シェード管の前記内面に機械的に結合されていて、前記ＤＣ歯車モータを取り付けるマウントとを含む、請求項１記載の電動式ローラーシェード。
【請求項６】
前記モータ／コントローラユニットは、歯車モータ減速装置組立体と前記支持シャフトとの間に設けられた中間シャフトを含む、請求項１記載の電動式ローラーシェード。
【請求項７】
前記モータ／コントローラユニットは、
前記ＤＣ歯車モータに取り付けられると共に前記シェード管の前記内面に機械的に結合された固定パーチと、
前記中間シャフトに取り付けられた回転パーチと、
前記固定パーチ及び前記回転パーチに取り付けられたばねとを含む、請求項６記載の電動式ローラーシェード。
【請求項８】
前記モータ／コントローラユニットは、前記コントローラが取り付けられた少なくとも１つの回路板を含む、請求項１記載の電動式ローラーシェード。
【請求項９】
前記モータ／コントローラユニットは、
前記ＤＣ歯車モータからの延びるモータシャフトと、
前記モータシャフトに取り付けられた多極電磁石と、
前記回路板に取り付けられていて、前記多極電磁石の回転を検出する少なくとも１つのセンサとを含む、請求項８記載の電動式ローラーシェード。
【請求項１０】
前記モータ／コントローラユニットは、前記回路板が収納されている回路板ハウジングを含む、請求項８記載の電動式ローラーシェード。
【請求項１１】
前記モータ／コントローラユニットは、前記シェード管の前記内面に機械的に結合されていて、前記軸受、前記ＤＣモータ及び前記回路板が収納されたハウジングを含む、請求項８記載の電動式ローラーシェード。
【請求項１２】
前記モータ／コントローラユニットは、前記支持シャフトに取り付けられた少なくとも１つのぜんまいばねを含む、請求項１１記載の電動式ローラーシェード。
【請求項１３】
前記電源ユニットは、前記モータ／コントローラユニットに電気的に結合されていて、少なくとも１つの電池を収容する電池管を含む、請求項１記載の電動式ローラーシェード。
【請求項１４】
前記電源ユニットは、
前記支持シャフトに回転可能に結合された少なくとも１つのばねを含み、
前記シェード管の前記内面に機械的に結合されていて、前記軸受を収納した外側端キャップを含み、前記外側端キャップは、前記電池管に電気的に結合された第１の端子を有し、
前記シェード管の前記内面に機械的に結合されていて、前記電池管に電気的に結合された第１の端子及び第２の端子を有する内側端キャップを含み、
前記電池が前記電池管内に納められると、前記外側端キャップの前記第１の端子は、前記電池の第１の端子に電気的に結合され、前記内側端キャップの前記第２の端子は、前記電池の第２の端子に電気的に結合される、請求項１３記載の電動式ローラーシェード。
【請求項１５】
前記電源ユニットは、前記モータ／コントローラユニットに電気的に結合されていて、外部電源から電力を受け取る電力カップリングを含む、請求項１記載の電動式ローラーシェード。
【請求項１６】
前記電力カップリングは、コミュテータリング又はスリップリングを含む、請求項１５記載の電動式ローラーシェード。
【請求項１７】
前記電源ユニット支持シャフトは、前記取り付けブラケットに取り付けられると、回転することがない、請求項１記載の電動式ローラーシェード。
【請求項１８】
ボトムバーを更に有する、請求項１記載の電動式ローラーシェード。
【請求項１９】
少なくとも１つの動程終了停止部を更に有する、請求項１記載の電動式ローラーシェード。
【請求項２０】
前記電源ユニット支持シャフトは、長手方向に調節可能である、請求項１記載の電動式ローラーシェード。
【請求項２１】
電動式ローラーシェード用の内部モータ／コントローラユニットであって、
取り付けブラケットに取り付け可能な支持シャフトを有し、
シェード管の内面に取り付け可能であって、前記支持シャフトに回転可能に結合された少なくとも１つの軸受を含む端キャップを有し、
出力シャフトを含むＤＣ歯車モータを有し、前記出力シャフトは、前記支持シャフトを前記取り付けブラケットに取り付けると、前記出力シャフト及び前記支持シャフトが回転することがないよう前記支持シャフトに結合されており、
シェード管の内面に取り付け可能なＤＣ歯車モータマウントを有し、
モータコントローラが取り付けられた少なくとも１つの回路板を含む回路板ハウジングを有し、
前記ＤＣ歯車モータは、このＤＣ歯車モータが動作しているとき、前記シェード管と共に回転する、モータ／コントローラユニット。
【請求項２２】
前記モータコントローラに結合されたワイヤレス受信機を更に有する、請求項２１記載のモータ／コントローラユニット。
【請求項２３】
前記支持シャフトに取り付けられた回転パーチと、
前記回転パーチ及び前記マウントに取り付けられたばねとを更に有する、請求項２１記載のモータ／コントローラユニット。
【請求項２４】
前記ＤＣ歯車モータからの延びるモータシャフトと、
前記モータシャフトに取り付けられた多極電磁石と、
前記回路板に取り付けられていて、前記多極電磁石の回転を検出する少なくとも１つのセンサとを更に有する、請求項２１記載のモータ／コントローラユニット。
【請求項２５】
前記端キャップ、前記ＤＣ歯車モータマウント及び前記回路板ハウジングは、前記シェード管の前記内面に取り付け可能な一体形ハウジングを形成している、請求項２１記載のモータ／コントローラユニット。
【請求項２６】
電動式ローラーシェード用の内部モータ／コントローラユニットであって、
取り付けブラケットに取り付け可能な支持シャフトと、
前記支持シャフトに回転可能に結合された少なくとも１つの軸受と、
シェード管の内面に機械的に結合されていて、前記支持シャフトに固定的に取り付けられた出力シャフトを含むＤＣ歯車モータと、
前記ＤＣ歯車モータに結合されていて、前記ＤＣ歯車モータを制御するコントローラとを有し、
前記ＤＣ歯車モータは、前記ＤＣ歯車モータが動作しているとき、前記シェード管と共に回転する、内部モータ／コントローラユニット。